【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
リアルタイムの画像サービスのために自然な意図の眼の動きのインタプリタに基づいて認知アーキテクチャを動的に進化させるためのシステムであって、
１つ以上のプロセッサと、
前記プロセッサのうち少なくとも１つに動作可能に連結され、ユーザの少なくとも第１の眼に向けて配置されるように構成される、少なくとも１つの構造化された照明源と、
前記１つ以上のプロセッサに動作可能に連結された第１のセンサとを備え、前記センサは前記ユーザの前記少なくとも第１の眼に向けて配置されるように構成され、前記システムはさらに、
複数の実行可能な命令が格納された非一時的なコンピュータ読取可能なメモリを備え、前記命令は、前記１つ以上のプロセッサによって実行されると、前記１つ以上のプロセッサに眼信号オペレーションを処理させ、前記眼信号オペレーションは、
前記１つ以上のプロセッサを第１の処理モードで動作するように構成することと、
前記第１の眼の第１の状態を表わす第１の眼測定データセットを前記第１のセンサから受信することと、
受信した前記第１の眼測定データセットを処理することとを備え、前記処理することは前記第１の眼の予測される第２の状態を計算し、前記第２の状態は、将来の日、将来の時間、将来の間隔、将来の位置、将来のシーケンス、および将来のパターンの１つ以上で起こるように計算され、前記眼信号オペレーションはさらに、
前記第１の眼の前記予測される第２の状態を計算したことに応答して、第１の実行可能な命令を前記１つ以上のプロセッサに送信することと、
第２の眼測定データセットを前記第１のセンサから受信することとを備え、前記第２の眼測定データセットを処理することは前記第１の眼の第２の状態を計算し、前記眼信号オペレーションはさらに、
前記第１の眼の前記第２の状態を計算したことに応答して、前記第１の眼の前記予測される第２の状態を前記第１の眼の前記第２の状態と相関付けることと、
前記第１の眼の前記予測される状態を前記第１の眼の前記第２の状態と相関付け、前記相関付けの結果によって眼の前記第１および第２の状態が一致していると判断されたことに応答して、第２の実行可能な命令を前記１つ以上のプロセッサに送信することとを備える、システム。
【請求項２】
前記眼測定データは、眼瞼データ、睫毛データ、瞳孔データ、角膜データ、網膜データ、虹彩データ、眼の動きデータ、眼の形状データ、注視点データ、滞留データ、固定データ、サッカードデータ、および照明データ、のうち少なくとも１つを備える、請求項１に記載のシステム。
【請求項３】
前記プロセッサによって実行される前記眼信号オペレーションは、連続的、同時、および定期的のうち少なくとも１つである、請求項１または２に記載のシステム。
【請求項４】
前記第１の眼の前記第１の状態は、第１の視線位置である、請求項１〜３のいずれかに記載のシステム。
【請求項５】
前記眼測定データは、前記第１の眼の表面からの少なくとも１つの閃光の検出を含む、請求項１〜４のいずれかに記載のシステム。
【請求項６】
前記第１の眼の表面からの前記閃光は、ヘッドマウントデバイスに取付けられた光源から生成されている、請求項５に記載のシステム。
【請求項７】
前記眼測定データは、眼の１つ以上の特異な特徴を含む、請求項１〜６のいずれかに記載のシステム。
【請求項８】
前記眼測定データは、顔特徴および虹彩データのうち少なくとも１つを含む、請求項１〜７のいずれかに記載のシステム。
【請求項９】
前記虹彩データは、公開鍵および秘密鍵を生成するためのバイオメトリック入力データとして用いられ、前記鍵は、ユーザがローカルデバイス、無線接続デバイス、およびネットワーク化サーバのうち少なくとも１つにアクセスして制御するための識別、認証、および認可を提供する、請求項８に記載のシステム。
【請求項１０】
前記システムは、１つ以上のプロセッサに動作可能に連結された第２のセンサを含み、前記第２のセンサは前記ユーザが向いている方向に配置される、請求項１〜９のいずれかに記載のシステム。
【請求項１１】
自然な意図の眼の動きのインタプリタに基づいて動的に進化する認知アーキテクチャを用いてリアルタイムの画像制御を提供するための方法であって、
電子デバイスを備え、前記電子デバイスは、
１つ以上のプロセッサと、
前記プロセッサのうち少なくとも１つに動作可能に連結され、ユーザの少なくとも第１の眼に向けて配置される、少なくとも１つの構造化された照明デバイスと、
１つ以上のプロセッサに動作可能に連結された第１のセンサとを備え、前記第１のセンサは前記ユーザの前記少なくとも第１の眼に向けて配置され、前記電子デバイスはさらに、
複数の実行可能な命令が格納された非一時的なコンピュータ読取可能なメモリを備え、前記命令は、前記１つ以上のプロセッサによって実行されると、前記１つ以上のプロセッサにオペレーションを実行させ、前記オペレーションは、
前記１つ以上のプロセッサを第１の処理モードで動作するように構成することと、
前記第１の眼の第１の状態を表わす第１の眼測定データセットを前記第１のセンサから受信することと、
受信した前記第１の眼測定データセットを処理することとを備え、前記処理することは前記第１の眼の第２の状態を計算し、前記第２の状態は、将来の日、将来の時間、将来の間隔、将来の位置、将来のシーケンス、および将来のパターンの１つ以上で起こるように計算され、前記オペレーションはさらに、
前記第１の眼の前記第２の状態を計算したことに応答して、第１の実行可能な命令を前記１つ以上のプロセッサに送信することと、
第２の眼測定データセットを前記第１のセンサから受信することとを備え、前記第２の眼測定データセットを処理することは前記第１の眼の第２の状態を計算し、前記オペレーションはさらに、
前記第１の眼の前記第２の状態を計算したことに応答して、前記第１の眼の前記予測される第２の状態を前記第１の眼の前記第２の状態と相関付けることと、
前記第１の眼の前記予測される第２の状態を前記第１の眼の前記第２の状態と相関付け、前記相関付けの結果によって眼の前記第１および第２の状態が一致していると判断されたことに応答して、第２の実行可能な命令を前記１つ以上のプロセッサに送信することとを備える、方法。
【請求項１２】
前記眼測定データは、眼瞼データ、睫毛データ、瞳孔データ、角膜データ、網膜データ、虹彩データ、眼の動きデータ、眼の形状データ、注視点データ、滞留データ、固定データ、サッカードデータ、および照明データ、のうち少なくとも１つを含む、請求項１１に記載の方法。
【請求項１３】
前記プロセッサによって実行される前記眼信号オペレーションは、連続的、同時、および定期的のうち少なくとも１つである、請求項１１または１２に記載の方法。
【請求項１４】
前記第１の眼の前記第１の状態は、第１の視線である、請求項１１〜１３のいずれかに記載の方法。
【請求項１５】
前記眼測定データは、前記第１の眼の表面からの少なくとも１つの閃光の検出を含む、請求項１１〜１４のいずれかに記載の方法。
【請求項１６】
前記第１の眼の表面からの前記閃光は、ヘッドマウントデバイスに取付けられた光源から生成されている、請求項１５に記載の方法。
【請求項１７】
前記眼測定データは、眼の１つ以上の特異な特徴を含む、請求項１１〜１６のいずれかに記載の方法。
【請求項１８】
前記眼測定データは、顔特徴および虹彩データのうち少なくとも１つを含む、請求項１１〜１７のいずれかに記載の方法。
【請求項１９】
前記虹彩データは、公開鍵および秘密鍵を生成するためのバイオメトリックデータとして用いられ、前記鍵は、ローカルデバイス、接続デバイス、無線デバイス、およびリモートサーバのうち少なくとも１つにアクセスして制御するための前記ユーザの識別および認証のためのものである、請求項１１〜１８のいずれかに記載の方法。
【請求項２０】
前記システムは、前記１つ以上のプロセッサに動作可能に連結された第２のセンサを含み、前記第２のセンサは前記ユーザが向いている方向に配置される、請求項１１〜１９のいずれかに記載の方法。